(57)【要約】      （修正有）【課題】ハンマーの把握を確実にする滑り止めと安全を目的としたハンマーの提供。【解決手段】ハンマー柄の握り部の外周部へ、少なくとも２本の指が係止できる係止突条を設け、ハンマー柄端へ取付環を固定した。【選択図】図１
0003132817.tif 000002
【実用新案登録請求の範囲】
【請求項１】
ハンマー柄の握り部の外周部へ、少なくとも２本の指が係止できる係止突条を設け、前記ハンマー柄端へ取付環を固定したことを特徴とするハンマー。
【請求項２】
ハンマー柄の握り部の外周部へ、少なくとも２本の指が係止できる係止突条を設け、前記握り部へ被覆層を設け、前記ハンマー柄端へ取付環を固定したことを特徴とするハンマー。
【請求項３】
ハンマー柄の握り部外周へ、線条を螺旋状又は環状に固定して係止突条としたことを特徴とする請求項１又は２記載のハンマー。
【請求項４】
係止突条は、太さ２ｍｍ〜５ｍｍの金属条を螺旋状又は環状に溶接固着して形成したことを特徴とする請求項１又は２記載のハンマー。
【請求項５】
係止突条は８ｍｍ〜３０ｍｍの間隔としたことを特徴とする請求項１又は２記載のハンマー。
【請求項６】
ハンマー柄の中心線と、係止突条の角度を９０〜３０度としたことを特徴とする請求項１又は２記載のハンマー。
【考案の詳細な説明】
【技術分野】
【０００１】
この考案は、建設工事などで使用するハンマーにおいて、柄の滑り止めと安全性を確保することを目的としたハンマーに関する。
【背景技術】
【０００２】
従来ハンマーの滑り止め及び安全性（落下防止）については幾多の発明、考案が知られており、実用に供されている。
【特許文献１】特開平９−８５６４５
【特許文献２】実用新案登録第３００８４８８号
【考案の開示】
【考案が解決しようとする課題】
【０００３】
従来のハンマー柄の滑り止めとしては、ハンマー柄の握り部外周に、滑り止め用把持部を設けた発明（特許文献１、図４）が提案されている。前記把持部の具体的構造は不明であるが、外形より推定すれば、握り指との接触面積を増加し、これにより、滑り止め効果を期待したものと考えられるが、握り指との接触だけでは、滑り止め不十分の場合を生じる問題点があった。
【０００４】
またハンマー柄の握り部にゴム製のカバーを被着し、前記カバーの表面に滑り止め用の凹凸を形成した考案が提案されている（特許文献２）。
【０００５】
前記考案におけるカバーの凹凸は、摩擦増加を示すもので、一定の効果は期待できるが、ハンマー使用時の握力の変化による滑り止めについては、不安定を免れない問題点があった。
【０００６】
前記において、作業時には、厚手の手袋、革手袋を常用しており、ハンマー柄と、握り手指とは、手袋を介して接触しているので、握力が小さくなると、滑り易くなることは明らかである。
【０００７】
また安全紐用の掛け環（取付環）を柄端に固定した提案もある（特許文献２）。
【課題を解決するための手段】
【０００８】
この考案は、ハンマー柄の握り部の外周部へ指が係止できる突条を設けることによって、ハンマー柄と、作業者の手との結びつきを堅固にし、滑りを防止して、前記従来の問題点を解決したのである。
【０００９】
即ちこの考案は、ハンマー柄の握り部の外周部へ、少なくとも２本の指が係止できる係止突条を設け、前記ハンマー柄端へ取付環を固定したことを特徴とするハンマーであり、ハンマー柄の握り部の外周部へ、少なくとも２本の指が係止できる係止突条を設け、前記握り部へ被覆層を設け、前記ハンマー柄端へ取付環を固定したことを特徴とするハンマーであり、ハンマー柄の握り部外周へ、線条を螺旋状又は環状に固定して係止突条としたものである。
【００１０】
この考案は、柄の握り部の外側を被覆しなくても十分使用に耐え得ると共に、金属線などよりなる突条と直接接触することによって係止が確実になる利点もある。然し乍ら、ゴム又は合成樹脂製のシートで被覆すれば、手袋などで握った場合の当接性が良好であって、滑り止め効果も期待できる。
【００１１】
また他の考案は、係止突条は、太さ２ｍｍ〜５ｍｍの金属条を螺旋状又は環状に溶接固着して形成したものであり、係止突条は８ｍｍ〜３０ｍｍの間隔としたものであり、ハンマー柄の中心線と、係止突条の角度を９０〜３０度としたものである。
【００１２】
前記考案において、係止突条の太さを２ｍｍ〜５ｍｍとしたが、２ｍｍ以下では指との係止が不十分になり、単なる摩擦との差異がなくなる。また５ｍｍより太くすることは突出量が不用に大きくなり、実用性が少ない。前記においては、断面円形を念頭に入れているが、断面四辺形でもよい（この場合には断面の１辺の長さが２ｍｍ〜５ｍｍとなる）。
【００１３】
前記において突条の間隔を８ｍｍ未満とすれば、手袋を嵌めた手指に対しては単なる摩擦の増加となる。また突条の間隔が３０ｍｍを越えると、指と突条との間に隙間を生じ、指を移動しないと係止不十分となる。尤も間隔４０ｍｍであっても、指２本が突条と係止しておれば、滑り止めには役立つが、不安定化するおそれがあるので、３０ｍｍを一応の上限とした。
【００１４】
また握り部をゴム又は合成樹脂製のシートで被覆すれば、手袋の握り面との密着性が良好になり、比較的小さい握力で滑り止めを防止することができる。
【考案の効果】
【００１５】
この考案によれば、ハンマー柄の握り部の外周部へ、少なくとも２本の指が係止できる係止突条を設けたので、手袋を着けた手で握る場合であっても確実に係止し、滑り止めになる効果がある。
【００１６】
また握り部へ被覆した場合においても、被覆面と、手袋面とが密着し、摩擦を増加して滑りを防止する効果がある。
【００１７】
またハンマー柄端へ取付環を連結したので、安全ロープをつけることによりハンマーの落下を未然に防止できる効果がある。
【００１８】
また係止突条の直径又は間隔を規正することにより、ハンマーと指との密着性を良好にし、係止を容易にして、確実に滑り止めとなる効果がある。
【考案を実施するための最良の形態】
【００１９】
この考案は、ハンマー柄の握り部の外周部へ、直径４ｍｍの金属線を螺旋状（ピッチ２５ｍｍ）に巻いて溶接固定して係止突条を設け、この握り部の外周へ、合成樹脂製のシートにより被覆層を設けると共に、前記ハンマー柄端へ、取付環を固定してこの考案のハンマーを得た。
【００２０】
前記螺旋は、右回りと、左回りの両方がある。また前記係止突条を螺旋状でなく、環状にすることもできる。環状の突条の柄の中心線に対する角度は９０度〜３０度の間を任意に選定することができる。
【実施例１】
【００２１】
この考案の実施例を、図１に基づいて説明すると、ヘッド２に柄３の一端を固定し、柄２の他端に、開閉片４ａ付の取付環４の一側を溶接固定する。
【００２２】
前記柄３の握り部３ａへ、直径４ｍｍ（図１（ｂ）中ｄ）の金属線５を右傾斜の螺旋状に巻（ピッチＬ＝２５ｍｍ）いて、溶接固定（角度θ＝３５度）し、外側へ合成樹脂層８を被着すれば、この考案のハンマー１ができる。図中６は安全ロープである。
【００２３】
前記実施例において、合成樹脂層８を被着するには、柄３より内径の若干大きい合成樹脂パイプを、前記柄３に嵌めた後、１００℃の熱風を吹きつけてシュリンク被着する。
【００２４】
前記実施例は合成樹脂パイプを柄に被着したが、接着テープを螺旋状に巻きつけて被着することもできる。
【００２５】
次に図２の実施例は、金属線５を左傾斜の螺旋状に巻いて溶接固定し、外側へ合成樹脂層８を被着すれば、この考案のハンマー１ができる。図中７は安全ロープ６の金具である。
【００２６】
前記図２の実施例は、図１の実施例と、係止突条の方向が異なるのみであって、その作用効果は同一に付詳細な説明は省略する。
【００２７】
図２、３に示す取付環４の開閉片４ａは、図２の（ｃ）に図示するように、取付環本体へ軸１１により開閉自在に取り付けられ、内蔵した板スプリング１２によって常時閉方向（矢示１３）へ付勢されているので、開閉片４ａは常に閉鎖状態を保っている。
【実施例２】
【００２８】
この考案の実施例を図３について説明すると、ヘッド２に柄３の一端を固定し、柄３の他端に開閉片４ａ付の取付環４の一側を溶接固定する。
【００２９】
前記柄３の握り部３ａへ、直径４ｍｍの金属環９を所定間隔（例えば２５ｍｍ間隔）で溶接固定し、その外側へゴム層１０を被着すれば、この考案のハンマー１ができる。
【００３０】
前記実施例における間隔は２５ｍｍあるので、手袋をした指でも間に入り、堅固に把握することができる。従ってハンマー使用中にハンマー１を滑り落とすようなおそれはない。
【図面の簡単な説明】
【００３１】
【図１】（ａ）この考案の正面図、（ｂ）同じく握り部の一部を破切した一部拡大図。
【図２】（ａ）同じく他の実施例の一部を省略した正面図、（ｂ）同じく断面図、（ｃ）同じく取付環の説明図。
【図３】同じく他の実施例の一部を省略した正面図。
【符号の説明】
【００３２】
１  ハンマー
２  ヘッド
３  柄
４  取付環
５  金属線
６  安全ロープ
７  安全ロープの金具
８  合成樹脂層
９  金属環
１０  ゴム層
【図１】
0003132817.tif 000003
【図２】
0003132817.tif 000004
【図３】
0003132817.tif 000005